(57)【要約】【課題】  手形や小切手等の有価証券を、安全かつ効率的に管理し、迅速に金融処理を行なうことができる有価証券管理方法及び有価証券管理プログラムを提供する。【解決手段】  小切手の受付依頼を受信した管理コンピュータ２１は、受付識別子を付与し、小切手受付機１０に通知する。小切手受付機１０はステルスインクを用いて受付識別子を小切手の表面に印字する。そして、管理コンピュータ２１は、小切手受付機１０から小切手のイメージデータを含む受付データを受信し、小切手受付データの記録を行なう。このイメージデータに基づいて入金処理用メッセージの入力が行なわれる。小切手が回収された場合、管理コンピュータ２１は小切手の照合を行ない、この照合結果に基づいて金融処理を実行する。【選択図】      図１
2005316979.tif 000002
【特許請求の範囲】
【請求項１】
有価証券受付装置とネットワークで接続可能な管理コンピュータと、前記有価証券受付装置で受け付けた有価証券に関するデータを記録する受付データ記憶手段とを備えた有価証券管理システムを用いて有価証券の管理を行なう方法であって、
前記管理コンピュータが、
前記ネットワークを介して前記有価証券受付装置に投入された有価証券の画像データを、前記有価証券受付装置から取得する第１の段階と、
前記有価証券受付装置に投入された有価証券に付加する受付識別子を取得し、前記画像データに関連づけて前記受付データ記憶手段に記録する第２の段階と、
前記画像データに基づいて生成された金融処理を行なうための有価証券処理データを、前記受付識別子と関連づけて記録する第３の段階と、
回収された有価証券に付加された受付識別子を取得し、前記有価証券処理データに基づいて金融処理を実行する第４の段階と
を実行することを特徴とする有価証券管理方法。
【請求項２】
前記管理コンピュータが、前記ネットワークを介して、前記有価証券受付装置に有価証券を投入した利用者の利用者識別子を取得する段階を更に含み、
前記利用者識別子を、前記受付識別子に関連づけて前記受付データ記憶手段に更に記録することを特徴とする請求項１に記載の有価証券管理方法。
【請求項３】
前記有価証券管理システムは、前記有価証券受付装置に投入された有価証券の回収を示すフラグデータを記録する回収管理データ記憶手段を更に備え、
事故報告を受信した場合には、前記管理コンピュータが、前記受付データ記憶手段を用いて前記有価証券受付装置に格納された有価証券を特定し、この有価証券の金融処理を停止するための処理を実行する段階を更に備えることを特徴とする請求項１又は２に記載の有価証券管理方法。
【請求項４】
有価証券受付装置とネットワークで接続可能な管理コンピュータと、前記有価証券受付装置で受け付けた有価証券に関するデータを記録する受付データ記憶手段とを備えた有価証券管理システムを用いて有価証券の管理を行なうプログラムであって、
前記管理コンピュータを、
前記ネットワークを介して前記有価証券受付装置に投入された有価証券の画像データを、前記有価証券受付装置から取得する第１の手段と、
前記有価証券受付装置に投入された有価証券に付加する受付識別子を取得し、前記画像データに関連づけて前記受付データ記憶手段に記録する第２の手段と、
前記画像データに基づいて生成された金融処理を行なうための有価証券処理データを、前記受付識別子と関連づけて記録する第３の手段と、
回収された有価証券に付加された受付識別子を取得し、前記有価証券処理データに基づいて金融処理を実行する第４の手段
として機能させることを特徴とする有価証券管理プログラム。
【請求項５】
前記管理コンピュータを、前記ネットワークを介して、前記有価証券受付装置に有価証券を投入した利用者の利用者識別子を取得する手段として更に機能させ、
前記利用者識別子を、前記受付識別子に関連づけて前記受付データ記憶手段に更に記録することを特徴とする請求項４に記載の有価証券管理プログラム。
【請求項６】
前記有価証券管理システムは、前記有価証券受付装置に投入された有価証券の回収を示すフラグデータを記録する回収管理データ記憶手段を更に備え、
事故報告を受信した場合には、前記管理コンピュータを、前記受付データ記憶手段を用
いて前記有価証券受付装置に格納された有価証券を特定し、この有価証券の金融処理を停止するための処理を実行する手段として更に機能させることを特徴とする請求項４又は５に記載の有価証券管理プログラム。
【発明の詳細な説明】
【技術分野】
【０００１】
本発明は、受け付けた有価証券を効率的に回収し、管理するための有価証券管理方法及び有価証券管理プログラムに関するものである。
【背景技術】
【０００２】
取引先への支払を行なう場合、手形や小切手等の有価証券を利用することがある。ここで、小切手は、金融機関に対して受取人への支払いを委託した有価証券である。支払人から受け取った小切手を支払銀行に呈示するか、取引銀行に取立てを依頼することにより、現金化を行なうことができる。一方、手形は、他人に対して支払いを約束した有価証券であり、通常は支払期日を指定して発行される。また、銀行に割り引いてもらうことにより支払期日前に現金化することもできる。銀行は、依頼された手形を手形交換所に持ち込み、決済を行い、支払人の当座預金口座から引き落とす。以上により、小切手や手形を用いて支払等を行なうことができる。
【０００３】
また、小切手や手形には、不正に書き換えを防止するためのＭＩＣＲ（Magnetic Ink Character Reader ）印字欄が設けている。このＭＩＣＲ印字欄には、支払交換所番号、支払銀行番号、支払支店番号、支払口座番号、手形小切手番号が印字される。そして、銀行での処理を行なう場合、ＭＩＣＲ印字はＭＩＣＲリーダーを用いて読み取ることができる。しかし、その他の項目は、オペレータが手形・小切手の現物を見ながらコンピュータに入力する必要があった。
【０００４】
そこで、手形・小切手データを効率的にデータベースに入力する技術が開示されている（例えば、特許文献１参照。）。この特許文献１記載の技術では、イメージスキャナー付きＭＩＣＲリーダーを用いて、手形・小切手の裏表両面のイメージとＭＩＣＲ文字の読み取りを行なう。手形管理サーバは、読み取ったＭＩＣＲ文字から第一の情報を識別し、読み取ったイメージから第二の情報を識別する。そして、イメージデータ、第一の情報及び第二の情報を手形・小切手データベースへ保存する。次に、手形管理サーバは、手形・小切手データの第一の情報及び第二の情報の各データを示す入力ボックスとイメージデータとをディスプレイ装置に表示し、入力ボックスに表示されたデータの補正入力を受け付ける。これにより、手形・小切手のイメージに対してＯＣＲ処理した結果に対して、ディスプレイに表示されたイメージを確認しながらの補正入力を行なうことができる。この結果、手形・小切手データのデータベースへの入力の効率化、正確性の向上を図ることができる。
【特許文献１】特開２００４−３０１７４号公報（第１頁）
【発明の開示】
【発明が解決しようとする課題】
【０００５】
しかし、特許文献１記載の入力方法を用いる場合にも、小切手や手形を金融機関の窓口の営業時間に持参する必要があり、利用者にとって不便であった。
また、小切手や手形の中には高額なものがあり、これらを安全に保管する必要がある。このため、小切手や手形を入金袋に入れて、金融機関の夜間金庫に投入することもある。この場合、金融機関の営業開始後に、所定の処理により指定の口座に入金される。しかし、小切手が夜間金庫に投入されてから口座等への入金までの金融処理には時間がかかる。このような金融処理を迅速かつ効率的に行なうことが望ましい。また、夜間金庫に入れる場合にも事故等があった場合、迅速な対応が必要である。
【０００６】
本発明は、上記問題点を解決するためになされたものであり、安全かつ効率的に小切手
を回収し、金融処理を行なうことができる有価証券管理方法及び有価証券管理プログラムを提供することである。
【課題を解決するための手段】
【０００７】
上記問題点を解決するために、請求項１に記載の発明は、有価証券受付装置とネットワークで接続可能な管理コンピュータと、前記有価証券受付装置で受け付けた有価証券に関するデータを記録する受付データ記憶手段とを備えた有価証券管理システムを用いて有価証券の管理を行なう方法であって、前記管理コンピュータが、前記ネットワークを介して前記有価証券受付装置に投入された有価証券の画像データを、前記有価証券受付装置から取得する第１の段階と、前記有価証券受付装置に投入された有価証券に付加する受付識別子を取得し、前記画像データに関連づけて前記受付データ記憶手段に記録する第２の段階と、前記画像データに基づいて生成された金融処理を行なうための有価証券処理データを、前記受付識別子と関連づけて記録する第３の段階と、回収された有価証券に付加された受付識別子を取得し、前記有価証券処理データに基づいて金融処理を実行する第４の段階とを実行することを要旨とする。
【０００８】
請求項２に記載の発明は、請求項１に記載の有価証券管理方法において、前記管理コンピュータが、前記ネットワークを介して、前記有価証券受付装置に有価証券を投入した利用者の利用者識別子を取得する段階を更に含み、前記利用者識別子を、前記受付識別子に関連づけて前記受付データ記憶手段に更に記録することを要旨とする。
【０００９】
請求項３に記載の発明は、請求項１又は２に記載の有価証券管理方法において、前記有価証券管理システムは、前記有価証券受付装置に投入された有価証券の回収を示すフラグデータを記録する回収管理データ記憶手段を更に備え、事故報告を受信した場合には、前記管理コンピュータが、前記受付データ記憶手段を用いて前記有価証券受付装置に格納された有価証券を特定し、この有価証券の金融処理を停止するための処理を実行する段階を更に備えることを要旨とする。
【００１０】
請求項４に記載の発明は、有価証券受付装置とネットワークで接続可能な管理コンピュータと、前記有価証券受付装置で受け付けた有価証券に関するデータを記録する受付データ記憶手段とを備えた有価証券管理システムを用いて有価証券の管理を行なうプログラムであって、前記管理コンピュータを、前記ネットワークを介して前記有価証券受付装置に投入された有価証券の画像データを、前記有価証券受付装置から取得する第１の手段と、前記有価証券受付装置に投入された有価証券に付加する受付識別子を取得し、前記画像データに関連づけて前記受付データ記憶手段に記録する第２の手段と、前記画像データに基づいて生成された金融処理を行なうための有価証券処理データを、前記受付識別子と関連づけて記録する第３の手段と、回収された有価証券に付加された受付識別子を取得し、前記有価証券処理データに基づいて金融処理を実行する第４の手段として機能させることを要旨とする。
【００１１】
請求項５に記載の発明は、請求項４に記載の有価証券管理プログラムにおいて、前記管理コンピュータを、前記ネットワークを介して、前記有価証券受付装置に有価証券を投入した利用者の利用者識別子を取得する手段として更に機能させ、前記利用者識別子を、前記受付識別子に関連づけて前記受付データ記憶手段に更に記録することを要旨とする。
【００１２】
請求項６に記載の発明は、請求項４又は５に記載の有価証券管理プログラムにおいて、前記有価証券管理システムは、前記有価証券受付装置に投入された有価証券の回収を示すフラグデータを記録する回収管理データ記憶手段を更に備え、事故報告を受信した場合には、前記管理コンピュータを、前記受付データ記憶手段を用いて前記有価証券受付装置に格納された有価証券を特定し、この有価証券の金融処理を停止するための処理を実行する
手段として更に機能させることを要旨とする。
【００１３】
（作用）
請求項１又は４に記載の発明によれば、有価証券管理システムは、有価証券受付装置とネットワークで接続可能な管理コンピュータと、前記有価証券受付装置で受け付けた有価証券に関するデータを記録する受付データ記憶手段とを備える。そして、前記管理コンピュータは、前記ネットワークを介して前記有価証券受付装置に投入された有価証券の画像データを、前記有価証券受付装置から取得する。次に、前記管理コンピュータは、前記有価証券受付装置に投入された有価証券に付加する受付識別子を取得し、前記画像データに関連づけて前記受付データ記憶手段に記録する。そして、前記管理コンピュータは、前記画像データに基づいて生成された金融処理を行なうための有価証券処理データを、前記受付識別子と関連づけて記録する。更に、前記管理コンピュータは、回収された有価証券に付加された受付識別子を取得し、前記有価証券処理データに基づいて金融処理を実行する。このため、有価証券受付装置に投入された有価証券の画像データを用いて、予め金融処理を行なうための有価証券処理データを準備しておくことができる。そして、有価証券が回収された場合、有価証券に付加された受付識別子に基づいて有価証券処理データを取得し、迅速に金融処理を行なうことができる。
【００１４】
請求項２又は５に記載の発明によれば、前記管理コンピュータが、前記ネットワークを介して、前記有価証券受付装置に有価証券を投入した利用者の利用者識別子を取得する。そして、前記利用者識別子を、前記受付識別子に関連づけて前記受付データ記憶手段に記録する。このため、有価証券を投入した利用者を特定して、金融処理を実行することができる。
【００１５】
請求項３又は６に記載の発明によれば、前記有価証券管理システムは、前記有価証券受付装置に投入された有価証券の回収を示すフラグデータを記録する回収管理データ記憶手段を更に備える。そして、事故報告を受信した場合には、前記管理コンピュータが、前記受付データ記憶手段を用いて前記有価証券受付装置に格納された有価証券を特定し、この有価証券の金融処理を停止するための処理を実行する。予め有価証券受付装置に投入されている有価証券を把握できるので、事故があった場合、迅速に対応することができる。
【発明の効果】
【００１６】
以上詳述したように、本発明によれば、手形や小切手等の有価証券を、安全かつ効率的に管理し、迅速に金融処理を行なうことができる。
【発明を実施するための最良の形態】
【００１７】
以下、本発明を具体化した実施形態を、図１〜図６に従って説明する。本実施形態では、有価証券受付装置としての小切手受付機に格納された小切手を回収し、この小切手についての金融処理を行なうための有価証券回収サービスを実現するための有価証券管理方法及び有価証券管理プログラムとして説明する。ここでは、図１に示すように、利用者は小切手を小切手受付機１０に格納する。この小切手受付機１０は、ネットワークＮにより、有価証券管理システムとしての小切手管理システム２０に接続されている。小切手受付機１０に格納された小切手は、定期的に警備輸送会社の警備輸送車４０によって回収され、銀行まで警備輸送される。
【００１８】
小切手受付機１０は、利用者の小切手の受付や保管等の各種取扱処理を実行する。図２に示すように、小切手受付機１０は、データの入出力手段としてのディスプレイ１１を備える。このディスプレイ１１はタッチパネル式のモニタであり、利用者への案内や指示等を表示するとともに、ディスプレイ画面を指などで触れることにより、各種データの入力処理を行なう。さらに、小切手受付機１０は、利用者のキャッシュカード等のユーザカー
ドを挿入するためのカード受付部１２及び小切手を投入するための小切手受付部１３を備えている。
【００１９】
小切手受付部１３に投入された小切手は、搬送ガイドにより小切手格納部１４まで搬送され、小切手格納部１４で保管される。この搬送ガイドの途中には読取部１５及び印字部１６が設けられている。この読取部１５は、小切手の表面や裏面を撮影することにより、小切手のイメージ画像を生成する。また、印字部１６は目に見えない特殊インク（ステルスインク）を用いて小切手の表面に印字を行なう。これらの各部（１１〜１６）は、制御部１７によって制御される。さらに、小切手受付機１０の制御部１７は、通信インターフェイスを備え、ネットワークＮを介して、格納された小切手に関するデータを送信する機能を有する。
【００２０】
また、小切手管理システム２０は、銀行によって管理されている。この小切手管理システム２０は、小切手に関する各種金融処理を管理するコンピュータシステムである。この小切手管理システム２０は、管理コンピュータ２１を備えている。この管理コンピュータ２１は、小切手受付機１０との間でのデータ送受信や、各種情報の管理を実行するためのデータ処理等を行なう。この管理コンピュータ２１は、図示しないＣＰＵ、ＲＡＭ、ＲＯＭ等を有し、後述する処理（第１の段階、第２の段階、第３の段階、第４の段階、利用者識別子を取得する段階等を含む処理）を行なう。そのための有価証券管理プログラムを実行することにより、管理コンピュータ２１は、第１の手段、第２の手段、第３の手段、第４の手段、利用者識別子を取得する手段等として機能する。
【００２１】
さらに、図１に示すように、小切手管理システム２０は、受付データ記憶手段としての小切手受付データ記憶部２２、及び回収管理データ記憶手段としての回収管理データ記憶部２３を備えている。
【００２２】
小切手受付データ記憶部２２には、図３に示すように、小切手受付機１０に格納された小切手に関する小切手受付データ２２０が記録される。この小切手受付データ２２０は、小切手が小切手受付機１０に投入された場合に生成される。小切手受付データ２２０は、受付毎に、受付識別子、受付機識別子、受付日時、利用者識別子、イメージ、入金処理用メッセージ、照合フラグ及び事故フラグに関するデータを含んで構成される。
【００２３】
受付識別子データ領域には、小切手受付機１０に格納された小切手を識別するためのデータが記録される。この受付識別子は、小切手受付機１０の印字部１６によって、ステルスインクを用いて小切手の表面に印字される。
【００２４】
受付機識別子データ領域には、各小切手が格納された小切手受付機１０を特定するための識別子に関するデータが記録される。
受付日時データ領域には、小切手が小切手受付機１０に格納された受付日付及び時刻を特定するためのデータが記録される。
【００２５】
利用者識別子データ領域には、小切手受付機１０に小切手を格納した利用者を特定するための識別子に関するデータが記録される。
イメージデータ領域には、小切手受付機１０に格納された小切手の画像データが記録される。このイメージデータは、小切手受付機１０の読取部１５によって生成される。
【００２６】
入金処理用メッセージデータ領域には、小切手受付機１０に格納された小切手についての金融処理を行なうための有価証券処理データが記録される。この金融処理には、ＭＩＣＲ印字処理や利用者の口座への入金処理等があり、これらの処理を行なう場合に用いるメッセージデータが記録される。この入金処理用メッセージデータは小切手のイメージ画像
に基づいて作成される。
【００２７】
照合フラグデータ領域には、小切手受付機１０に投入され、回収された小切手の照合の完了を示すフラグが記録される。この照合フラグは、小切手を回収した銀行において、照合が完了した場合に記録される。
【００２８】
事故フラグデータ領域には、小切手受付機１０に格納された小切手が回収前又は回収中に事故に遭遇したことを示すフラグを記録する。この事故フラグが記録されている小切手について、銀行は金融処理を停止するための処理（小切手の場合には、資金化の停止処理）を行なう。
【００２９】
回収管理データ記憶部２３には、図４に示すように、小切手受付機１０からの小切手回収を管理するための回収管理データ２３０が記録される。この回収管理データ２３０は、小切手の回収スケジュールを決定した場合に登録される。回収管理データ２３０には、小切手受付機１０毎に、回収日、回収順番、受付機識別子及び回収日時に関するデータが記録される。
【００３０】
回収日データ領域には、小切手受付機１０から小切手を回収する予定日を特定するためデータが記録される。
回収順番データ領域には、この回収日に小切手を回収するために小切手受付機１０を巡回する順番を特定するためのデータが記録される。
【００３１】
受付機識別子データ領域には、この回収日に小切手を回収する小切手受付機１０を特定するための識別子に関するデータが記録される。
回収日時データ領域には、この小切手受付機１０から小切手を回収した日付及び時刻を特定するためのデータが記録される。小切手の回収前には、回収時刻データ領域は空欄にしておく。
【００３２】
上記のように構成されたシステムにおいて、小切手回収サービスを提供する場合の処理手順を説明する。ここでは、小切手の受付、小切手の回収の各段階の順に説明する。
（小切手の受付段階）
まず、小切手の受付段階の処理を、図５を用いて説明する。利用者は、小切手受付機１０が設置されている場所まで小切手を持参する。そして、利用者は、小切手受付機１０のディスプレイ１１に表示された案内指示に従って、自分のユーザカードをカード受付部１２に挿入する。この場合、小切手受付機１０はユーザ受付処理を実行する（ステップＳ１−１）。具体的には、小切手受付機１０の制御部１７は、カード受付部１２に挿入されたユーザカードに記録されたカードデータを読み取る。そして、制御部１７は、受付機識別子とともにカードデータを含む小切手受付依頼を、ネットワークＮを介して小切手管理システム２０に送信する。
【００３３】
小切手受付依頼を受信した管理コンピュータ２１は、ユーザ認証を行なう（ステップＳ１−２）。これにより、管理コンピュータ２１は利用者識別子を特定する。そして、ユーザ認証を完了した場合には、管理コンピュータ２１は受付識別子を付与し、ネットワークＮを介して小切手受付機１０に通知する。
【００３４】
次に、利用者は、ディスプレイ１１に表示された案内指示に従って、持参した小切手を小切手受付部１３に投入する。この場合、小切手受付機１０は、投入された小切手を搬送ガイドにより搬送する。
【００３５】
そして、搬送ガイドの途中で読取部１５を用いて、小切手の読取処理を実行する（ステ
ップＳ１−３）。ここでは、小切手の表裏のイメージデータを生成する。
更に、小切手受付機１０は、搬送ガイドの途中で、印字部１６を用いて、小切手管理システム２０から通知された受付識別子を、この小切手の表面に印字する（ステップＳ１−４）。この印字は、目に見えない特殊インク（ステルスインク）を用いて行なわれる。そして、小切手受付機１０は、小切手を搬送ガイドに従って小切手格納部１４に格納する（ステップＳ１−５）。
【００３６】
次に、小切手受付機１０の制御部１７は、ネットワークＮを介して、受付データを小切手管理システム２０に送信する（ステップＳ１−６）。この受付データには、読取部１５で読み取ったイメージデータを含める。
【００３７】
受付データを受信した管理コンピュータ２１は、この小切手に関する小切手受付データ２２０の記録処理を行なう（ステップＳ１−７）。具体的には、付与した受付識別子、受信した受付機識別子、受付日時、カードデータに基づいて特定した利用者識別子、受信したイメージに関するデータを含む小切手受付データ２２０を小切手受付データ記憶部２２に記録する。
【００３８】
そして、銀行の担当者は、イメージデータを確認しながら、金融処理を行なうための入金処理用メッセージの入力を行なう。この場合、管理コンピュータ２１は、入力された入金処理用メッセージに関するデータを小切手受付データ記憶部２２に記録する処理を行なう（ステップＳ１−８）。
【００３９】
（小切手の回収段階）
次に、小切手の回収段階の処理を、図６を用いて説明する。まず、銀行は、小切手を回収する小切手受付機１０について回収日、回収順番を決定する。そして、この小切手受付機１０の受付機識別子、回収日、回収順番に関するデータを関連付けて回収管理データ記憶部２３に記録する。そして、管理コンピュータ２１は、警備輸送会社に対して小切手の回収指示を送信する（ステップＳ２−１）。この回収指示は、小切手を回収する小切手受付機１０を特定するための受付機識別子、及び回収日、回収順番に関する情報を含む。警備輸送会社の警備輸送車４０は、指示された順番に小切手受付機１０を巡回し、小切手受付機１０から小切手を取り出す。この場合、小切手受付機１０は、小切手管理システム２０に対して回収通知を、ネットワークＮを介して送信する。この回収通知には、この小切手受付機１０の受付機識別子に関するデータが含まれる。
【００４０】
回収通知を受信した管理コンピュータ２１は回収記録処理を行なう。具体的には、管理コンピュータ２１は、回収通知に含まれる受付機識別子に基づいて、回収が行なわれた回収管理データ２３０を特定する。そして、回収管理データ２３０に回収日時に関するデータを記録する（ステップＳ２−２）。この回収記録処理は、当日、回収対象になっている小切手受付機１０のすべての回収を完了するまで繰り返される。
【００４１】
そして、管理コンピュータ２１が事故報告を受信することなく回収を終了した場合（ステップＳ２−３において「ＮＯ」の場合）、管理コンピュータ２１は回収された小切手の照合処理を実行する（ステップＳ２−４）。具体的には、まず、管理コンピュータ２１は、回収された小切手に印字されたステルスインクを読み取り、受付識別子を取得する。そして、管理コンピュータ２１は、取得した受付識別子について、小切手受付データ記憶部２２に記録された小切手受付データ２２０と照合する。さらに、管理コンピュータ２１は、この受付識別子を含む小切手受付データ２２０を抽出し、照合フラグを記録する。
【００４２】
そして、管理コンピュータ２１は、この照合結果に基づいて入金処理を実行する（ステップＳ２−５）。具体的には、管理コンピュータ２１は、照合フラグが記録された小切手
受付データ２２０に含まれる入金処理用メッセージを抽出し、この入金処理用メッセージに基づいてＭＩＣＲ印字処理や、利用者の口座への入金処理等の金融処理を行なう。
【００４３】
一方、小切手回収の途上で事故に遭遇した場合、警備輸送車４０の担当者は事故報告を小切手管理システム２０に送信する。本実施形態では、無線端末を用いて事故報告を小切手管理システム２０に送信する。
【００４４】
管理コンピュータ２１が事故報告を受信した場合（ステップＳ２−３において「ＹＥＳ」の場合）、管理コンピュータ２１は事故処理を実行する（ステップＳ２−６）。ここでは、管理コンピュータ２１は、事故報告を受信した回収日の記録された回収管理データ２３０を回収管理データ記憶部２３から抽出する。次に、管理コンピュータ２１は、この回収管理データ２３０から回収日時の記録された、すべての受付機識別子を特定する。
【００４５】
そして、管理コンピュータ２１は、特定した受付機識別子を含み、かつ照合フラグの記録されていない小切手受付データ２２０を抽出する。次に、管理コンピュータ２１は、抽出した小切手受付データ２２０に事故フラグを記録する。この事故フラグが記録された小切手受付データ２２０に関する小切手に対しては、資金化を防止するための処理が行われる。以上により、小切手回収サービスを完了する。
【００４６】
以上、本実施形態によれば、以下に示す効果を得ることができる。
・  上記実施形態では、小切手受付機１０に挿入されたユーザカードに記録されたカードデータを読み取り、管理コンピュータ２１は、ユーザ認証を行なう（ステップＳ１−２）。そして、管理コンピュータ２１は利用者識別子を特定する。更に、搬送ガイドの途中で読取部１５を用いて、小切手の読取処理を実行する（ステップＳ１−３）。ここでは、小切手の表裏のイメージデータを生成する。そして、小切手受付機１０の制御部１７は、ネットワークＮを介して、受付データを小切手管理システム２０に送信する（ステップＳ１−６）。この受付データには、読取部１５で読み取ったイメージデータを含める。これにより、小切手を投入した利用者識別子とイメージとに基づいて、その後の金融処理で用いるデータを予め準備しておくことが可能である。従って、その後の金融処理を、効率的に行なうことができる。
【００４７】
・  上記実施形態では、小切手受付データ記憶部２２には、小切手受付機１０に格納された小切手に関する小切手受付データ２２０が記録される。小切手受付データ２２０は、受付毎に、受付識別子に関するデータを含んで構成される。また、小切手受付機１０の印字部１６は、受付識別子を小切手の表面に印字する（ステップＳ１−４）。このため、小切手の回収時に、管理コンピュータ２１は、小切手にステルスインクで印字された受付識別子を読み取ることにより、小切手受付データ記憶部２２に記録された小切手受付データ２２０との照合を行なうことができる。従って、小切手の回収の効率化を図ることができる。
【００４８】
・  上記実施形態では、小切手が小切手受付機１０に投入された段階で、管理コンピュータ２１は、この小切手に関して小切手受付データ２２０の記録処理を行なう（ステップＳ１−７）。すなわち、夜間金庫等と異なり、小切手の照合処理が行われる前に、銀行は小切手受付機１０に格納された小切手に関する情報を取得する。そして、管理コンピュータ２１が事故報告を受信した場合、管理コンピュータ２１は事故処理を実行する（ステップＳ２−６）。このため、この事故フラグが記録された小切手受付データ２２０に関する小切手に対しては、資金化を防止することができる。
【００４９】
・  上記実施形態では、警備輸送車４０の担当者から事故報告を受信した場合（ステップＳ２−３において「ＹＥＳ」の場合）、管理コンピュータ２１は、事故報告を受信した
回収日の記録された回収管理データ２３０を回収管理データ記憶部２３から抽出する。次に、管理コンピュータ２１は、この回収管理データ２３０から回収日時の記録された、すべての受付機識別子を特定する。そして、管理コンピュータ２１は、特定した受付機識別子を含み、かつ照合フラグの記録さていない小切手受付データ２２０を抽出する。次に、管理コンピュータ２１は、抽出した小切手受付データ２２０に事故フラグを記録する。これにより、事故に遭遇した警備輸送車４０で輸送中であった小切手を特定することができる。従って、事故に対して迅速な対応を実施することができる。
【００５０】
なお、上記実施形態は、以下の態様に変更してもよい。
○  上記実施形態では、有価証券受付装置としての小切手受付機１０を用いて小切手を回収する。有価証券受付装置を用いて回収する有価証券は小切手に限られるものではなく、約束手形であってもよい。回収後に有価証券を確認しながら、金融処理を行なう場合には、本発明を適用することができる。
【００５１】
この場合、手形に関する金融処理としては、「入金」、「取立」、「割引」がある。そこで、有価証券受付装置にユーザカードが挿入され、手形が投入された場合、有価証券受付装置のディスプレイ１１に各金融処理（「入金」、「取立」、「割引」）を選択させるためのボタンを表示した画面を出力する。このボタンを用いて有価証券に対する金融処理が選択された場合、有価証券受付装置は、この選択情報を管理コンピュータに送信する。そして、管理コンピュータは、選択された金融処理を特定する金融処理指定識別子データを受付データ記憶手段に記録する。これにより、利用者の多様なニーズに対応しながら、有価証券受付装置から回収した手形の照合結果に基づいて、迅速に金融処理を行なうことができる。
【００５２】
例えば、「割引」が選択された場合、割引可能かどうかの判断が必要である。この判断のために、取引先企業に対する手形割引枠（信用取引枠、預金担保等）、個別銘柄ごとに割引枠等に関する情報を取得する必要がある。そこで、金融処理指定識別子として「割引」が指定されている場合、有価証券管理システムの管理コンピュータは受付データ記憶手段に記録された入金処理用メッセージに基づいて、信用取引枠等を記録した他のデータ記憶部から割引枠に関する情報を取得する。そして、管理コンピュータは、取得した割引枠情報に基づいて割引可能かどうかを判断する。また、管理コンピュータが、この手形の支払期日や、他のデータ記憶部に銘柄毎に記録された割引率に基づいて、この手形の割引料を予め算出する機能部を設けてもよい。これにより、有価証券受付装置から回収した手形の照合結果に基づいて、効率的に入金処理を実行することができる。
【００５３】
一方、回収の途上で事故に遭遇し、事故報告を受信した場合には、利用者によって指定された金融処理指定識別子に応じて、この金融処理の停止のための対応を行なうことができる。この場合には、各金融処理指定識別子に対応させて対応処理プログラムを準備しておく。そして、事故報告を受信した場合、事故報告があった手形の入金処理用メッセージ等やその金融処理識別子を特定し、この金融処理識別子に応じて、事故処理プログラムを実行する。例えば、取立の場合には組み戻しのためのプログラムを実行する。これにより、事故報告を受信した場合にも速やかに対応することができる。
【００５４】
○  上記実施形態では、小切手受付機１０の制御部１７は、ネットワークＮを介して、受付データを小切手管理システム２０に送信する。この受付データには、読取部１５で読み取ったイメージデータを含める。これに加えて、有価証券受付装置において有価証券を受け付けた場合、ユーザカードにより特定した利用者に通知を行なってもよい。この場合、ユーザカードに記録された利用者識別子と連絡先（例えば電子メールアドレス）とを関連付けた利用者データベースを用いる。そして、管理コンピュータ２１は、有価証券を受け付けたときのユーザ認証により利用者を特定し、利用者データベースを用いて連絡先を
特定して、受付通知を送信する。これにより、より確実に受付処理を行なうことができる。
【００５５】
また、手形の場合、この受付通知に対して利用者に金融処理種別を特定させてもよい。具体的には、受付通知に金融処理（「入金」、「取立」、「割引」）を選択させるための画面を出力させるためのデータを含めておく。そして、利用者は、この画面を用いて金融処理を指示する。この場合、管理コンピュータは、選択された金融処理を特定する金融処理指定識別子データを受付データ記憶手段に記録する。これにより、有価証券受付装置に有価証券を投入した者とは別に、利用者に金融処理内容を指定させることができる。そして、管理コンピュータは、事故報告があった場合や、回収された場合は、この金融処理指定識別子に対応した処理を行なうことができる。
【００５６】
○  上記実施形態では、警備輸送車４０の担当者から事故報告を受信した場合（ステップＳ２−３において「ＹＥＳ」の場合）、管理コンピュータ２１は事故処理を実行する（ステップＳ２−６）。この事故処理を実行は、警備輸送車４０の担当者から事故報告を受信した場合に限られるものではない。例えば、小切手受付機１０から、異常を感知した信号を受信した場合であってもよい。この場合、管理コンピュータ２１は、この受付機識別子を含み、かつ照合フラグの記録されていない小切手受付データ２２０を特定する。そして、管理コンピュータ２１は、小切手受付データ２２０に事故フラグを記録する。これにより、この事故フラグが記録された小切手受付データ２２０に関する小切手に対して、資金化を防止するための処理を行なうことができる。
【００５７】
○  上記実施形態では、小切手回収を終了した場合（ステップＳ２−３において「ＮＯ」の場合）、管理コンピュータ２１は回収された小切手の照合処理を実行する（ステップＳ２−４）。そして、管理コンピュータ２１は、この照合結果に基づいて入金処理を実行する（ステップＳ２−５）。これに加えて、管理コンピュータ２１は、受付データを受信した段階で、この小切手に関しての金融サービスを提供してもよい。例えば、この小切手に基づいて通常より低利率の当座貸越枠を提供することも可能である。この場合、管理コンピュータ２１は、小切手受付機１０から受信した受付データに基づいて、利用者の当座貸越枠データを記録する。これにより、小切手受付機１０に格納された小切手を担保として、金融サービスを提供することができる。
【００５８】
○  上記実施形態では、小切手受付機１０の印字部１６は目に見えない特殊インク（ステルスインク）を用いて小切手の表面に受付識別子の印字を行なう。受付識別子の印字は、各小切手を識別できるものであればステルスインクに限られるものではない。
【００５９】
○  上記実施形態では、この小切手受付依頼を受信した管理コンピュータ２１は、ユーザ認証を行なう（ステップＳ１−２）。これにより、管理コンピュータ２１は利用者識別子を特定する。これに代えて、このユーザ認証処理を省略してもよい。例えば、小切手受付機１０を所定の企業内に設置し、利用者を限定した場合、ユーザ認証は不要となる。この場合、利用者識別子と受付機識別子とを対応付けたテーブルを予め準備しておく。これにより、管理コンピュータ２１は受付機識別子を用いて、利用者を特定することができる。
【図面の簡単な説明】
【００６０】
【図１】本発明の実施形態のシステム概略図。
【図２】小切手受付機のブロック図。
【図３】小切手受付データ記憶部に記録されたデータの説明図。
【図４】回収管理データ記憶部に記録されたデータの説明図。
【図５】本実施形態の処理手順の説明図。
【図６】本実施形態の処理手順の説明図。
【符号の説明】
【００６１】
１０…有価証券受付装置としての小切手受付機、２０…有価証券管理システムとしての小切手管理システム、２１…管理コンピュータ、２２…受付データ記憶手段としての小切手受付データ記憶部、２３…回収管理データ記憶手段としての回収管理データ記憶部、Ｎ…ネットワーク。
【図１】
2005316979.tif 000003
【図２】
2005316979.tif 000004
【図３】
2005316979.tif 000005
【図４】
2005316979.tif 000006
【図５】
2005316979.tif 000007
【図６】
2005316979.tif 000008